(57)【要約】【課題】厚みの増加を抑制しつつ、簡素な構造でトップシートの前後方向の端からの漏れだしを防止する。【解決手段】上記課題は、吸収体１３よりも前後両方の端から延び出るとともに、吸収体１３よりも前後両側の各折り位置３１で表側に折り返された折り返し部分３０を有しており、折り返し部分３０は、その裏側に対向する面に、幅方向ＷＤの両端部で固定されており、液不透過性シート１２は、吸収体１３の裏側から折り位置３１まで延びる第１部分１２ａと、折り位置３１で表側に折り返され、折り返し部分３０における折り位置３１と反対側の端まで延びた第２部分１２ｂとを有しており、トップシート１１における折り位置３１側の端は、液不透過性シート１２における第１部分１２ａと第２部分１２ｂとの間に位置している、ことを特徴とするパンツタイプ使い捨ておむつ１００により解決される。【選択図】図５
2020044046.tif 000002
【特許請求の範囲】
【請求項１】
排泄物の液分を吸収する吸収体と、吸収体の表側を覆う液透過性のトップシートと、吸収体の裏側を覆う液不透過性シートとを有する、吸収性物品において、
前記吸収体よりも前後少なくとも一方の端から延び出るとともに、前記吸収体よりも前後少なくとも一方側の折り位置で表側に折り返された折り返し部分を有しており、
前記折り返し部分は、その裏側に対向する面に、幅方向の少なくとも一部で固定されており、
前記液不透過性シートは、前記吸収体の裏側から前記折り位置まで延びる第１部分と、前記折り位置で表側に折り返され、前記折り返し部分における前記折り位置と反対側の端まで延びた第２部分とを有しており、
前記トップシートにおける前記折り位置側の端は、前記液不透過性シートにおける前記第１部分と前記第２部分との間に位置している、
ことを特徴とする吸収性物品。
【請求項２】
前記折り位置は、前記吸収体における前記折り位置側の端から離れており、
前記折り返し部分における前記折り位置と反対側の端は、前記吸収体より前記折り位置側に離れている、
請求項１記載の吸収性物品。
【請求項３】
前記トップシートは、前記吸収体の表側から前記吸収体よりも前後少なくとも一方側の折り位置まで延びる第１部分と、前記折り返し部分における前記折り位置と反対側の端まで延びた第２部分とを有しており、
前記折り返し部分は、前記吸収体における前記折り位置側の端部と重なる位置まで延びている、
請求項１又は２記載の吸収性物品。
【請求項４】
前記折り返し部分は、幅方向の両端部が裏側に対向する面に固定された固定部と、これら固定部の間に位置し、裏側に対向する面に固定されていない自由部とを有しており、
前記吸収体は、前記自由部と重なる部分を有し、前記固定部と重なる部分を有しない、
請求項３記載の吸収性物品。
【請求項５】
表面の両側部から起き上がる起き上がりギャザーを有し、
前記起き上がりギャザーは、当該吸収性物品の側部の表面又は裏面に固定された付根部分と、この付根部分から当該吸収性物品の表面上に延びた本体部分と、前記本体部分の前端部及び後端部がそれぞれ倒伏状態に固定されて形成された倒伏部分と、前記本体部分における前後の倒伏部分の間に位置する非固定の起き上がり部分とを有し、
前記起き上がりギャザーは、前記折り返し部分と重なる部分は、前記折り返し部分の表側に位置している、
請求項１〜４のいずれか１項に記載の吸収性物品。
【請求項６】
前記トップシートは、前記吸収体の表側から、前記吸収体における前記折り位置側の端と前記折り位置との間まで折り返されることなく延びている、
請求項１又は２の記載の吸収性物品。
【請求項７】
前記折り位置は、当該吸収性物品の前端及び後端の少なくとも一方に位置している、
請求項１〜６のいずれか１項に記載の吸収性物品。
【請求項８】
前身頃から後身頃にわたる一体的な外装体、又は前身頃及び後身頃に別々に設けられた外装体と、前身頃から股間部を通り後身頃にわたるように外装体に取り付けられた内装体と、前身頃における外装体の両側部と後身頃における外装体の両側部とがそれぞれ接合されたサイドシール部と、ウエスト開口及び左右一対の脚開口とを備えた、パンツタイプ吸収性物品であり、
前記内装体は、前記吸収体、前記トップシート、及び液不透過性シートを有するとともに、前記折り返し部分を有している、
請求項１〜６のいずれか１項に記載の吸収性物品。
【発明の詳細な説明】
【技術分野】
【０００１】
本発明は、使い捨ておむつや生理用ナプキン等の吸収性物品に関する。
【背景技術】
【０００２】
一般的な吸収性物品は、尿などの排泄物の液分を吸収する吸収体と、吸収体の表側を覆う液透過性のトップシートと、吸収体の裏側を覆う液不透過性シートとを有する。排泄物の液分はトップシートを透過して吸収体に至り、吸収体に吸収及び保持される。液不透過性シートは排泄物の液分が裏側に抜け出ることを防止する。
【０００３】
吸収性物品における重要な問題の一つは排泄物の漏れである。排泄物の漏れには、様々なものがある。本発明者は、トップシートの前端及び後端と、液不透過性シートの前端及び後端とがそれぞれ一致している場合に特有の漏れを知見した。すなわち、このような吸収性物品では、排泄物の液分がトップシート内を染み通り、トップシートの前端又は後端から液不透過性シートによる遮断領域外に漏れ出てしまう。吸収性物品においては、液不透過性シートの前端よりも前方及び後端よりも後方に、十分な液体遮断性を有するシートが存在していることはほとんどないため、排泄物の液分が液不透過性シートによる遮断領域外に漏れ出ると、下着や肌を汚してしまう可能性が高い。ほとんど多くのパッドタイプ使い捨ておむつや、テープタイプ使い捨ておむつ、生理用ナプキンのように、トップシート及び液不透過性シートの前後端が製品の前後端に一致する製品では、排泄物の液分が液不透過性シートによる遮断領域外に漏れ出ることは、下着や肌を汚してしまうことに直結する。
【０００４】
このような漏れを防止するための手段としては、従来、前後端部にいわゆる立体ギャザーを設けるものが知られているが、構造が複雑になり、製品コストも高いものとならざるをえない。
【０００５】
これに対して、特許文献１記載のもののように、製品の後端部を吸収体を含めて前後方向中央側に折り返すと、構造は複雑とならず、製品コストの増加は少ないものとなる。
【０００６】
しかし、特許文献１記載のものは、製品の後端部を吸収体を含めて前後方向中央側に折り返すため、折り返し部分の厚みが極端に厚くなり、装着感が悪化するおそれがある。また、特許文献１記載のもののように、一部が極端に厚いものでは、多数の製品をまとめて取り扱う際に嵩張るため、輸送、梱包、収納の効率が悪くなることも問題である。
【先行技術文献】
【特許文献】
【０００７】
【特許文献１】特開２００９−６０１９号公報
【特許文献２】特開２００７−２５９９２３号公報
【発明の概要】
【発明が解決しようとする課題】
【０００８】
そこで、本発明の主たる課題は、厚みの増加を抑制しつつ、簡素な構造でトップシートの前後方向の端からの漏れだしを防止すること等にある。
【課題を解決するための手段】
【０００９】
上記課題を解決した吸収性物品は以下のとおりである。
＜第１の態様＞
排泄物の液分を吸収する吸収体と、吸収体の表側を覆う液透過性のトップシートと、吸収体の裏側を覆う液不透過性シートとを有する、吸収性物品において、
前記吸収体よりも前後少なくとも一方の端から延び出るとともに、前記吸収体よりも前後少なくとも一方側の折り位置で表側に折り返された折り返し部分を有しており、
前記折り返し部分は、その裏側に対向する面に、幅方向の少なくとも一部で固定されており、
前記液不透過性シートは、前記吸収体の裏側から前記折り位置まで延びる第１部分と、前記折り位置で表側に折り返され、前記折り返し部分における前記折り位置と反対側の端まで延びた第２部分とを有しており、
前記トップシートにおける前記折り位置側の端は、前記液不透過性シートにおける前記第１部分と前記第２部分との間に位置している、
ことを特徴とする吸収性物品。
【００１０】
（作用効果）
本吸収性物品では、排泄物の液分がトップシート内を染み通り、液不透過性シートの折り位置側に向かって移動しても、トップシートの折り位置側の端は、液不透過性シートの第１部分と第２部分との間に位置しており、液不透過性シートにより封じられているため、トップシートの端から液不透過性シートによる遮断領域外に漏れ出にくいものとなる。そして、吸収体を有しない位置での液不透過性シートの折り返しと、これに対するトップシートの位置関係のみで、漏れ防止性を向上するものであるため、厚みの増加を抑制しつつ、簡素な構造でトップシートの前後方向の端からの漏れだしを、効果的に防止できるようになる。
【００１１】
＜第２の態様＞
前記折り位置は、前記吸収体における前記折り位置側の端から離れており、
前記折り返し部分における前記折り位置と反対側の端は、前記吸収体より前記折り位置側に離れている、
第１の態様の吸収性物品。
【００１２】
（作用効果）
折り返し部分は、折り返しにより形成される部分であり、折り位置から吸収体と重なる部分まで延びていると、折り返し部分及び吸収体が重なる部分の厚みが増加し、肌触りが悪化する。吸収性物品では吸収体を有する部分の厚みが最も厚く、肌に接触しやすいからである。これに対して、本態様の場合、折り返し部分が吸収体と重なる部分まで延びておらず、折り返し部分を有する部分の厚みが吸収体を有する部分の厚みと比べて非常に薄いため、折り返し部分による厚み増加は肌触りにほとんど影響しない。
【００１３】
＜第３の態様＞
前記トップシートは、前記吸収体の表側から前記吸収体よりも前後少なくとも一方側の折り位置まで延びる第１部分と、前記折り返し部分における前記折り位置と反対側の端まで延びた第２部分とを有しており、
前記折り返し部分は、前記吸収体における前記折り位置側の端部と重なる位置まで延びている、
第１又は２の態様の吸収性物品。
【００１４】
（作用効果）
トップシートについても、液不透過性シートと同じ折り位置で折り返され、折り位置から液不透過性シートと同じ位置まで延びていると製造が容易であるため好ましい。しかし、この場合、トップシートの第２部分に液分が保持されやすいと、その液分が折り返し部分における折り位置と反対側の端から肌に付着したり、液不透過性シートの第２部分の表側に回り込むようにして漏れたりするおそれがある。そこで、本態様のように、トップシート及び液不透過性シートがともに折り返し部分における折り位置と反対側の端まで延びた構造を変えずに、折り返し部分が吸収体における折り位置側の端部と重なる位置まで延びた構造とするのも好ましい。これにより、トップシートの第２部分に浸透した液分は、吸収体により吸収されやすくなり、液分が折り返し部分における折り位置と反対側の端から肌に付着したり、液不透過性シートの第２部分の表側に回り込むようにして漏れたりしにくくなる。
【００１５】
＜第４の態様＞
前記折り返し部分は、幅方向の両端部が裏側に対向する面に固定された固定部と、これら固定部の間に位置し、裏側に対向する面に固定されていない自由部とを有しており、
前記吸収体は、前記自由部と重なる部分を有し、前記固定部と重なる部分を有しない、
第３の態様の吸収性物品。
【００１６】
（作用効果）
折り返し部分の固定部は、硬質な部分となるため、肌に触れにくい方が好ましい。しかし、折り返し部分が、吸収体における折り位置側の端部と重なる位置まで延びている場合、折り返し部分の固定部が吸収体と重なる部位に位置していると、折り返し部分の固定部は肌に触れやすくなる。そこで、本態様のように、折り返し部分の固定部を幅方向両端部のみとし、その部位については吸収体を有しない構造とするのは好ましい。これにより、折り返し部分の固定部を有する部位の厚みが吸収体を有する部分の厚みと比べて非常に薄くなるため、折り返し部分の固定部が肌に触れにくくなる。また、自由部と吸収体とが重なる部分は肌に触れやすくなるが、自由部は固定部のように硬くないため、肌触りへの影響は少ないものとなる。また、自由部を有することにより、折り返し部分とその裏側に対向する部分との間に排泄物の液分を受容するポケットが形成されるという利点も有する。
【００１７】
＜第５の態様＞
表面の両側部から起き上がる起き上がりギャザーを有し、
前記起き上がりギャザーは、当該吸収性物品の側部の表面又は裏面に固定された付根部分と、この付根部分から当該吸収性物品の表面上に延びた本体部分と、前記本体部分の前端部及び後端部がそれぞれ倒伏状態に固定されて形成された倒伏部分と、前記本体部分における前後の倒伏部分の間に位置する非固定の起き上がり部分とを有し、
前記起き上がりギャザーは、前記折り返し部分と重なる部分は、前記折り返し部分の表側に位置している、
第１〜４のいずれか１つの態様の吸収性物品。
【００１８】
（作用効果）
多くの吸収性物品では、いわゆる横漏れを防止するために、表面の両側部に起き上がりギャザーを設けることが一般的である。このような起き上がりギャザーを有する場合に、その上に被さるように前述の折り返し部分を設けると、起き上がりギャザーの起き上がり部分の前後方向の寸法が折り返し部分の前後方向の寸法により制限される。これに対して、本態様のように、起き上がりギャザーにおける折り返し部分と重なる部分が、折り返し部分の表側に位置していると、起き上がりギャザー起き上がり部分の前後方向の寸法が折り返し部分の前後方向の寸法により制限されることがない。よって、本態様は、折り返し部分の前後方向の寸法を長く確保する場合には特に好適である。
【００１９】
＜第６の態様＞
前記トップシートは、前記吸収体の表側から、前記吸収体における前記折り位置側の端と前記折り位置との間まで折り返されることなく延びている、
第１又は２の態様の吸収性物品。
【００２０】
（作用効果）
このように折り返し部分にトップシートを含まない構造とすることにより、折り返し部分の厚みを低減することができる。
【００２１】
＜第７の態様＞
前記折り位置は、当該吸収性物品の前端及び後端の少なくとも一方に位置している、
第１〜６のいずれか１つの態様の吸収性物品。
【００２２】
（作用効果）
パッドタイプ使い捨ておむつや生理用ナプキン等のパッドタイプ吸収性物品や、テープタイプ使い捨ておむつでは、トップシート及び液不透過性シートが製品の前後端まで連続するものが多い。よって、このような製品では、本態様のように、前述の折り返し部分の折り位置を、製品の前端及び後端の少なくとも一方に位置させると、構造が簡素となるため好ましい。
【００２３】
＜第８の態様＞
前身頃から後身頃にわたる一体的な外装体、又は前身頃及び後身頃に別々に設けられた外装体と、前身頃から股間部を通り後身頃にわたるように外装体に取り付けられた内装体と、前身頃における外装体の両側部と後身頃における外装体の両側部とがそれぞれ接合されたサイドシール部と、ウエスト開口及び左右一対の脚開口とを備えた、パンツタイプ吸収性物品であり、
前記内装体は、前記吸収体、前記トップシート、及び液不透過性シートを有するとともに、前記折り返し部分を有している、
第１〜６のいずれか１つの態様の吸収性物品。
【００２４】
（作用効果）
前述の折り返し部分は、パンツタイプ使い捨ておむつ等のパンツタイプ吸収性物品にも適用可能である。
【発明の効果】
【００２５】
以上の吸収性物品によれば、厚みの増加を抑制しつつ、簡素な構造でトップシートの前後方向の端からの漏れだしを防止できる、等の利点がもたらされる。
【図面の簡単な説明】
【００２６】
【図１】展開状態のパッドタイプ使い捨ておむつの内面を示す、平面図である。
【図２】展開状態のパッドタイプ使い捨ておむつの外面を示す、平面図である。
【図３】図１のＡ−Ａ断面図である。
【図４】図１のＢ−Ｂ断面図である。
【図５】図１のＣ−Ｃ断面図である。
【図６】展開状態のパッドタイプ使い捨ておむつの内面を示す、平面図である。
【図７】図６のＣ−Ｃ断面図である。
【図８】図１のＣ−Ｃ断面に相当する、他のパッドタイプ使い捨ておむつの断面図である。
【図９】展開状態のパンツタイプ使い捨ておむつの内面を示す、平面図である。
【発明を実施するための形態】
【００２７】
以下、パッドタイプ使い捨ておむつの例について、添付図面を参照しつつ詳説する。断面図における点模様部分はその表側及び裏側に位置する各構成部材を接合するホットメルト接着剤を示している。ホットメルト接着剤は、スロット塗布、連続線状又は点線状のビード塗布、スパイラル状、Ｚ状等のスプレー塗布、又はパターンコート（凸版方式でのホットメルト接着剤の転写）等、公知の手法により塗布することができる。これに代えて又はこれとともに、弾性部材の固定部分では、ホットメルト接着剤を弾性部材の外周面に塗布し、弾性部材を隣接部材に固定することができる。ホットメルト接着剤としては、例えばＥＶＡ系、粘着ゴム系（エラストマー系）、オレフィン系、ポリエステル・ポリアミド系などの種類のものが存在するが、特に限定無く使用できる。各構成部材を接合する接合手段としてはヒートシールや超音波シール等の素材溶着による手段を用いることもできる。
【００２８】
図１〜図５は、パッドタイプ使い捨ておむつ１００の一例を示している。パッドタイプ使い捨ておむつ１００は前後方向の中間が括れた砂時計形状等、任意の形状を採ることができるが、図示例では長辺が前後方向に沿う長方形である。パッドタイプ使い捨ておむつ１００は、図３〜図５に示されるように、吸収体１３と、吸収体１３の表側を覆う液透過性のトップシートと、吸収体１３の裏側を覆う液不透過性シート１２と有する。
【００２９】
（吸収体）
吸収体１３は、公知のもの、例えばパルプ繊維の積繊体、セルロースアセテート等のフィラメントの集合体、あるいは不織布等の繊維集合体を基本とし、この繊維集合体に必要に応じて高吸収性ポリマーを混合、固着等してなるものを用いることができる。この吸収体１３は、形状及びポリマー保持等のため、必要に応じてクレープ紙等の、液透過性及び液保持性を有する包装シートによって包装することができる。
【００３０】
吸収体１３の形状は、股間部に前後両側よりも幅の狭い括れ部分１３Ｎを有するほぼ砂時計形状に形成されている。括れ部分１３Ｎの寸法は適宜定めることができるが、括れ部分１３Ｎの前後方向長さはおむつ全長の２０〜５０％程度とすることができ、その最も狭い部分の幅は吸収体１３の全幅の４０〜６０％程度とすることができる。
【００３１】
（トップシート）
吸収体１３の表側（肌側）を覆うトップシート１１としては、有孔又は無孔の不織布や多孔性プラスチックシートなどが好適に用いられる。
【００３２】
トップシート１１は、平面方向に関して、１枚のシートからなるものであっても、２枚以上のシートからなるものであってもよい。トップシート１１の両側部は、図示例のように吸収体１３の側縁で吸収体の裏側に折り返してもよく、また図示しないが、折り返さずに吸収体１３の側縁より側方にはみ出させてもよい。特に図示例のトップシート１１は、液不透過性シート１２とともに裏側に折り返しているが、トップシート１１のみ折り返し、液不透過性シートは折り返さずに、吸収体の側縁又はその近傍まで延ばすだけでもよい。
【００３３】
トップシート１１は、吸収体１３側の部材に対する位置ずれを防止する等の目的で、裏側に隣接する部材に固定することが望ましい。
【００３４】
図示しないが、トップシートを透過した排泄物の液分がトップシートの表側に戻る「逆戻り」現象を防止するため、トップシートの裏側に隣接させて、中間シート（「セカンドシート」とも呼ばれている）を設けることができる。中間シートは省略することもできる。中間シートは、位置ずれを防止する等の目的で、表裏少なくとも一方側の部材に固定することが望ましい。
【００３５】
（液不透過性シート）
液不透過性シート１２の素材は、特に限定されるものではないが、例えば、ポリエチレンやポリプロピレン等のオレフィン系樹脂等からなるプラスチックフィルムや、不織布の表面にプラスチックフィルムを設けたラミネート不織布、プラスチックフィルムに不織布等を重ねて接合した積層シートなどを例示することができる。液不透過性シート１２には、ムレ防止の観点から好まれて使用されている液不透過性かつ透湿性を有する素材を用いることが好ましい。透湿性を有するプラスチックフィルムとしては、ポリエチレンやポリプロピレン等のオレフィン系樹脂中に無機充填剤を混練して、シートを成形した後、一軸又は二軸方向に延伸して得られた微多孔性プラスチックフィルムが広く用いられている。この他にも、マイクロデニール繊維を用いた不織布、熱や圧力をかけることで繊維の空隙を小さくすることによる防漏性強化、高吸水性樹脂又は疎水性樹脂や撥水剤の塗工といった方法により、プラスチックフィルムを用いずに液不透過性としたシートも、液不透過性シート１２として用いることができる。
【００３６】
液不透過性シート１２の両側部は、図示例のように、トップシート１１とともに吸収体の裏側で折り返されていてもよく、図示しないが折り返さずに吸収体１３の側縁又はその近傍まで延ばすだけでもよく、吸収体１３の表側に回り込ませてトップシートの両側部上まで延在させることもできる。
【００３７】
（起き上がりギャザー）
起き上がりギャザー９０は、おむつ表面の両側部に沿って前後方向ＬＤの全体にわたり延在し、横漏れを防止するために設けられているものであり、前後方向ＬＤの中間部分が起き上るものである（一般に立体ギャザーと呼ばれている）。より詳細には、図示例の起き上がりギャザー９０は、使い捨ておむつの裏面の側部に固定された付根部分９１と、この付根部分９１から使い捨ておむつの側部を経て使い捨ておむつの表面の側部上まで延在する本体部分９２と、本体部分９２の前端部及び後端部がそれぞれ倒伏状態に固定されて形成された倒伏部分９３と、本体部分９２における前後の倒伏部分の間が非固定とされて形成された起き上がり部分９４とを有している。これらの各部は、本体部分９２における付根部分９１側と反対側の先端で折り返されて二重にされたギャザーシート９５により形成されている。また、二重のギャザーシート９５間には、起き上がり部分９４の少なくとも先端部に細長状のギャザー弾性部材９６が前後方向ＬＤに沿って固定されている。ギャザー弾性部材９６は、その弾性収縮力により起き上がり部分９４を立ち上げるためのものである。
【００３８】
図示例の起き上がりギャザー９０は、本体部分９２が折り返されていない形態であるが、本体部分９２における付け根部分側の部分が幅方向中央側に向かって斜めに起立し、中間部より先端側の部分が幅方向外側に向かって斜めに起立する構造等、公知のあらゆる構造を採用することができる。
【００３９】
ギャザー弾性部材９６としては、通常使用されるスチレン系ゴム、オレフィン系ゴム、ウレタン系ゴム、エステル系ゴム、ポリウレタン、ポリエチレン、ポリスチレン、スチレンブタジエン、シリコーン、ポリエステル等の素材を用いることができる。また、通常の場合、ギャザー弾性部材９６の太さは９２５ｄｔｅｘ以下とすることができ、ギャザー弾性部材９６の伸長率は１５０〜３５０％、ギャザー弾性部材９６を複数本設ける場合の相互間隔は７．０ｍｍ以下とすることができる。なお、ギャザー弾性部材９６としては、図示形態のような糸状の他、ある程度の幅を有するテープ状のものを用いることもできる。
【００４０】
ギャザーシート９５としては、尿などの透過を防止するとともに、カブレを防止しかつ肌への感触性（ドライ感）を高めるために、各種の不織布に撥水処理を施した撥水不織布を用いることが望ましい。撥水処理に用いる撥水剤は特に限定されないが、シリコーン系、パラフィン金属系、アルキルクロミッククロライド系等の撥水剤を用いることができる。
【００４１】
（外装不織布）
また、液不透過性シート１２の外面は、不織布からなる外装不織布１４により覆われている。図８に示すように、外装不織布１４は省略することもできる。
【００４２】
（折り返し部分）
図１、図４及び図５に示すように、本パッドタイプ使い捨ておむつ１００では、吸収体１３よりも前後少なくとも一方の端から延び出るとともに、吸収体１３よりも前後両側に位置する各折り位置３１で表側に折り返された折り返し部分３０を有している。これら折り返し部分３０は、その裏側に対向する面に、幅方向ＷＤの少なくとも一部で固定されている。この固定部には図１及び図４に符号３３が付されている。特徴的には、図４及び図５に示すように、液不透過性シート１２が、吸収体１３の裏側から折り位置３１まで延びる第１部分１２ａと、各折り位置３１で表側に折り返され、折り返し部分３０における折り位置３１と反対側の端３２まで延びた第２部分１２ｂとを有しており、トップシート１１における折り位置３１側の端は、液不透過性シート１２における第１部分１２ａと第２部分１２ｂとの間に位置している。
【００４３】
したがって、本パッドタイプ使い捨ておむつ１００では、排泄物の液分がトップシート１１内を染み通り、液不透過性シート１２の折り位置３１側に向かって移動しても、トップシート１１の折り位置３１側の端は、液不透過性シート１２の第１部分１２ａと第２部分１２ｂとの間に位置しており、液不透過性シート１２により封じられているため、トップシート１１の端から液不透過性シート１２による遮断領域外に漏れ出にくいものとなる。そして、吸収体１３を有しない位置での液不透過性シート１２の折り返しと、これに対するトップシート１１の位置関係のみで、漏れ防止性を向上するものであるため、厚みの増加を抑制しつつ、簡素な構造でトップシート１１の前後方向ＬＤの端からの漏れだしを、効果的に防止できるようになる。
【００４４】
折り返し部分３０はその全体にわたり裏側に対向する面に固定されていてもよい。しかし、折り返し部分３０の固定部３３は硬質な部分となるため、面積が少ない方が好ましい。したがって、例えば、折り返し部分３０は前後方向ＬＤ及び幅方向ＷＤの少なくとも一方には間欠的に固定することが好ましい。特に、図１及び図４に示すように、折り返し部分３０の両端部が裏側に対向する面に固定された固定部３３と、これら固定部３３の間に位置し、裏側に対向する面に固定されていない自由部３４とを有していると、折り返し部分３０の固定が十分となるとともに、自由部３４を有することにより、折り返し部分３０とその裏側に対向する部分との間に排泄物の液分を受容するポケット３５が形成されるという利点も有する。
【００４５】
折り返し部分３０の折り位置３１は、吸収体１３における折り位置３１側の端１３ｅに一致していてもよいが、吸収体１３における折り位置３１側の端１３ｅから離れていることが好ましい。つまり、図示例のように、吸収体１３よりも前後両側に、トップシート１１及び液不透過性シート１２からなるエンドフラップ部（吸収体１３を有しない部分）が残るようになっていてもよい。この場合、折り返し部分３０の折り位置３１と、吸収体１３における折り位置３１側の端１３ｅとの離間距離３６は、適宜定めることができるが、例えば製品全長の０．２〜２％程度、長さにして１〜１５ｍｍ程度とすることができる。
【００４６】
図示例のように、折り返し部分３０の折り位置３１が、吸収体１３における折り位置３１側の端１３ｅから離れている場合、折り返し部分３０における折り位置３１と反対側の端３２は、吸収体１３より折り位置３１側に離れていると好ましい。折り返し部分３０は、折り返しにより形成される部分であり、折り位置３１から吸収体１３と重なる部分まで延びていると、折り返し部分３０及び吸収体１３が重なる部分の厚みが増加し、肌触りが悪化する。パッドタイプ使い捨ておむつ１００では吸収体１３を有する部分の厚みが最も厚く、肌に接触しやすいからである。これに対して、図５等に示すように、折り返し部分３０が吸収体１３と重なる部分まで延びておらず、折り返し部分３０を有する部分の厚みが吸収体１３を有する部分の厚みと比べて非常に薄いため、折り返し部分３０による厚み増加は肌触りにほとんど影響しない。
【００４７】
図５に示すように、トップシート１１は、吸収体１３の表側から吸収体１３よりも前後少なくとも一方側の折り位置３１まで延びる第１部分１１ａと、折り返し部分３０における折り位置３１と反対側の端３２まで延びた第２部分１１ｂとを有していると、トップシート１１及び液不透過性シート１２を同じ折り位置３１で折り返すことにより折り返し部分３０を形成できるため好ましい。しかし、この場合、トップシート１１の第２部分１１ｂに液分が保持されやすいと、その液分が折り返し部分３０における折り位置３１と反対側の端３２から肌に付着したり、液不透過性シート１２の第２部分１２ｂの表側に回り込むようにして漏れたりするおそれがある。そこで、図６及び図７に示すように、トップシート１１及び液不透過性シート１２がともに折り返し部分３０における折り位置３１と反対側の端まで延びた構造を変えずに、折り返し部分３０が吸収体１３における折り位置３１側の端部と重なる位置まで延びた構造とするのも好ましい。これにより、トップシート１１の第２部分１１ｂに浸透した液分は、吸収体１３により吸収されやすくなり、液分が折り返し部分３０における折り位置３１と反対側の端から肌に付着したり、液不透過性シート１２の第２部分１２ｂの表側に回り込むようにして漏れたりしにくくなる。この場合における折り返し部分３０と吸収体１３との重なり幅３７は適宜定めることができるが、例えば１０〜５０ｍｍ程度とすることができる。
【００４８】
折り返し部分３０の固定部３３は、硬質な部分となるため、肌に触れにくい方が好ましい。しかし、折り返し部分３０が、吸収体１３における折り位置３１側の端部と重なる位置まで延びている場合、折り返し部分３０の固定部３３が吸収体１３と重なる部位に位置していると、折り返し部分３０の固定部３３は肌に触れやすくなる。そこで、図６に示す例のように、折り返し部分３０は、幅方向ＷＤの両端部が裏側に対向する面に固定された固定部３３と、これら固定部３３の間に位置し、裏側に対向する面に固定されていない自由部３４とを有しており、吸収体１３は、自由部３４と重なる部分を有し、固定部３３と重なる部分を有しない形状になっていると好ましい。つまり、吸収体１３の角部１３ｃは、固定部３３と重なる部分が欠如した形状となっていると好ましい。これにより、折り返し部分３０の固定部３３を有する部位の厚みが吸収体１３を有する部分の厚みと比べて非常に薄くなるため、折り返し部分３０の固定部３３が肌に触れにくくなる。また、自由部３４と吸収体１３とが重なる部分は肌に触れやすくなるが、自由部３４は固定部３３のように硬くないため、肌触りへの影響は少ないものとなる。また、自由部３４を有することにより、折り返し部分３０とその裏側に対向する部分との間に排泄物の液分を受容するポケットが形成されるという利点も有する。
【００４９】
もちろん、図８に示す例のように、トップシート１１は第２部分１１ｂを有しなくてもよい。つまり、トップシート１１は、吸収体１３の表側から、吸収体１３における折り位置３１側の端１３ｅと折り位置３１との間まで折り返されることなく延びているだけでもよい。このように折り返し部分３０にトップシート１１を含まない構造とすることにより、折り返し部分３０の厚みを低減することができる。
【００５０】
また、図５等に示す例のように、折り返し部分３０の最も表側に位置する面が不織布により覆われているのは好ましい。図示例では、外装不織布１４を液不透過性シート１２とともに折り返すことにより、折り返し部分３０の最も表側に位置する面が不織布により覆われているが、別途の不織布を貼り付けてもよい。
【００５１】
他方、起き上がりギャザー９０を有する場合に、その上に被さるように折り返し部分３０を設けると、起き上がりギャザー９０の起き上がり部分９４の前後方向ＬＤの寸法が折り返し部分３０の前後方向ＬＤの寸法により制限される。もちろん、このような構造も可能である。これに対して、図１及び図４に示すように、起き上がりギャザー９０における折り返し部分３０と重なる部分が、折り返し部分３０の表側に位置していると、起き上がりギャザー９０起き上がり部分９４の前後方向ＬＤの寸法が折り返し部分３０の前後方向ＬＤの寸法により制限されることがないため好ましい。よって、この構造は、折り返し部分３０の前後方向ＬＤの寸法を長く確保する場合（例えば図６及び図７に示す例）には特に好適である。
【００５２】
本例のようなパッドタイプ使い捨ておむつ１００はもちろん、生理用ナプキンやテープタイプ使い捨ておむつでは、トップシート１１及び液不透過性シート１２が製品の前後端まで連続するものが多い。よって、このような製品では、本例のように、折り返し部分３０の折り位置３１を、製品の前後端に位置させると、構造が簡素となるため好ましい。
【００５３】
図９に示すように、前述のパッドタイプ使い捨ておむつ１００の折り返し部分３０は、いわゆるパンツタイプ使い捨ておむつにも設けることができる。このパンツタイプ使い捨ておむつは、前身頃Ｆから後身頃Ｂにわたる一体的な外装体２０と、前身頃Ｆから股間部を通り後身頃Ｂにわたるように外装体２０に取り付けられた内装体１０と、前身頃Ｆにおける外装体２０の両側部と後身頃Ｂにおける外装体２０の両側部とがそれぞれ接合されたサイドシール部２１と、ウエスト開口及び左右一対の脚開口とを備えた、一般的な構造を備えている。
【００５４】
外装体２０は、サイドシール部２１と対応する前後方向ＬＤ範囲である胴周り部Ｔと、前身頃Ｆの胴周り部Ｔ及び後身頃Ｂの胴周り部Ｔの間の前後方向ＬＤ範囲である中間部Ｌとを有する。外装体２０は不織布等により形成することができる。外装体２０の胴周り部Ｔにおける少なくともウエスト端部２３、より好ましくはほぼ全体は、図示しない細長状又はフィルム状の弾性部材を内蔵させる等の公知の手法により、幅方向ＷＤに伸縮する構造とすることができる。
【００５５】
図示例の外装体２０は、前後方向ＬＤの中間部Ｌの幅が狭い括れ形状を有しており、その括れ部分が脚開口の縁２９となる。外装体２０は、前身頃Ｆ及び後身頃Ｂで個別に形成され、両者が股間部で前後方向ＬＤに離間しても良い。
【００５６】
そして、内装体１０は、吸収体１３、トップシート１１、液不透過性シート１２及び起き上がりギャザー９０を有する部分となっており、前述のパッドタイプ使い捨ておむつ１００と同様に折り返し部分３０を有している。内装体１０の構造は、前述のパッドタイプ使い捨ておむつ１００における外装不織布１４を省略した場合と基本的に同様であるため、あえて説明は省略する。このように、前述のパッドタイプ使い捨ておむつ１００の折り返し部分３０は、パンツタイプ使い捨ておむつにも設けることができる。ただし、通常のパンツタイプ使い捨ておむつでは、折り返し部分３０の折り位置３１は製品の前後端に位置しないこととなる。
【００５７】
（不織布）
上記説明における不織布としては、部位や目的に応じて公知の不織布を適宜使用することができる。不織布の構成繊維としては、例えばポリエチレン又はポリプロピレン等のオレフィン系、ポリエステル系、ポリアミド系等の合成繊維（単成分繊維の他、芯鞘等の複合繊維も含む）の他、レーヨンやキュプラ等の再生繊維、綿等の天然繊維等、特に限定なく選択することができ、これらを混合して用いることもできる。不織布の柔軟性を高めるために、構成繊維を捲縮繊維とするのは好ましい。また、不織布の構成繊維は、親水性繊維（親水化剤により親水性となった疎水性繊維を含む）であっても、疎水性繊維若しくは撥水性繊維（撥水剤により撥水性となった撥水性繊維を含む）であってもよい。また、不織布は一般に繊維の長さや、シート形成方法、繊維結合方法、積層構造により、短繊維不織布、長繊維不織布、スパンボンド不織布、メルトブローン不織布、スパンレース不織布、サーマルボンド（エアスルー）不織布、ニードルパンチ不織布、ポイントボンド不織布、積層不織布（スパンボンド層間にメルトブローン層を挟んだＳＭＳ不織布、ＳＭＭＳ不織布等）等に分類されるが、これらのどの不織布も用いることができる。
【００５８】
＜その他＞
上記例では、折り返し部分３０は製品の前後両側に設けられているが、前後いずれか一方に設けられるだけでもよい。
【００５９】
＜明細書中の用語の説明＞
明細書中の以下の用語は、明細書中に特に記載が無い限り、以下の意味を有するものである。
【００６０】
・「前後方向」とは図中に符号ＬＤで示す方向（縦方向）を意味し、「幅方向」とは図中にＷＤで示す方向（左右方向）を意味し、前後方向と幅方向とは直交するものである。し、「幅方向」とは前後方向と直交する方向（左右方向）を意味する。
【００６１】
・「表側」とは吸収性物品を着用した際に着用者の肌に近い方を意味し、「裏側」とは吸収性物品を着用した際に着用者の肌から遠い方を意味する。
【００６２】
・「表面」とは部材の、吸収性物品を着用した際に着用者の肌に近い方の面を意味し、「裏面」とは吸収性物品を着用した際に着用者の肌から遠い方の面を意味する。
【００６３】
・「伸長率」は、自然長を１００％としたときの値を意味する。例えば、伸長率が２００％とは、伸長倍率が２倍であることと同義である。
【００６４】
・「ゲル強度」は次のようにして測定されるものである。人工尿（尿素：２ｗｔ％、塩化ナトリウム：０．８ｗｔ％、塩化カルシウム二水和物：０．０３ｗｔ％、硫酸マグネシウム七水和物：０．０８ｗｔ％、及びイオン交換水：９７．０９ｗｔ％を混合したもの）４９．０ｇに、高吸収性ポリマーを１．０ｇ加え、スターラーで攪拌させる。生成したゲルを４０℃×６０％ＲＨの恒温恒湿槽内に３時間放置したあと常温にもどし、カードメーター（Ｉ．ｔｅｃｈｎｏ  Ｅｎｇｉｎｅｅｒｉｎｇ社製：Ｃｕｒｄｍｅｔｅｒ−ＭＡＸ  ＭＥ−５００）でゲル強度を測定する。
【００６５】
・「目付け」は次のようにして測定されるものである。試料又は試験片を予備乾燥した後、標準状態（試験場所は、温度２３±１℃、相対湿度５０±２％）の試験室又は装置内に放置し、恒量になった状態にする。予備乾燥は、試料又は試験片を温度１００℃の環境で恒量にすることをいう。なお、公定水分率が０．０％の繊維については、予備乾燥を行わなくてもよい。恒量になった状態の試験片から、試料採取用の型板(１００ｍｍ×１００ｍｍ)を使用し、１００ｍｍ×１００ｍｍの寸法の試料を切り取る。試料の重量を測定し、１００倍して１平米あたりの重さを算出し、目付けとする。
【００６６】
・「厚み」は、自動厚み測定器（ＫＥＳ−Ｇ５  ハンディ圧縮計測プログラム）を用い、荷重：０．０９８Ｎ／ｃｍ2、及び加圧面積：２ｃｍ2の条件下で自動測定する。
【００６７】
・吸水量は、ＪＩＳ  Ｋ７２２３−１９９６「高吸水性樹脂の吸水量試験方法」によって測定する。
【００６８】
・吸水速度は、２ｇの高吸収性ポリマー及び５０ｇの生理食塩水を使用して、ＪＩＳ  Ｋ７２２４‐１９９６「高吸水性樹脂の吸水速度試験法」を行ったときの「終点までの時間」とする。
【００６９】
・「展開状態」とは、収縮や弛み（弾性部材によるものも、そうでないものも含む）無く平坦に展開した状態を意味する。
【００７０】
・各部の寸法は、特に記載が無い限り、自然長状態ではなく展開状態における寸法を意味する。
【００７１】
・試験や測定における環境条件についての記載が無い場合、その試験や測定は、標準状態（試験場所は、温度２３±１℃、相対湿度５０±２％）の試験室又は装置内で行うものとする。
【産業上の利用可能性】
【００７２】
本発明は、パッドタイプ使い捨ておむつや生理用ナプキン等のパッドタイプ吸収性物品や、テープタイプ使い捨ておむつの他、パンツタイプ使い捨ておむつ等のパンツタイプ吸収性物品等、吸収性物品全般に利用できるものである。
【符号の説明】
【００７３】
１０…内装体、１１…トップシート、１２…液不透過性シート、１３…吸収体、１３Ｎ…括れ部分、１４…外装不織布、２０…外装体、２１…サイドシール部、２３…ウエスト端部、９０…起き上がりギャザー、９１…付根部分、９２…本体部分、９３…倒伏部分、９４…起き上がり部分、９５…ギャザーシート、９６…ギャザー弾性伸縮部材、Ｂ…後身頃、Ｆ…前身頃、Ｌ…中間部、ＬＤ…前後方向、Ｔ…胴周り部、ＷＤ…幅方向、３０…折り返し部分、３１…折り位置、３３…固定部、３４…自由部、１００…パッドタイプ使い捨ておむつ。
【図１】
2020044046.tif 000003
【図２】
2020044046.tif 000004
【図３】
2020044046.tif 000005
【図４】
2020044046.tif 000006
【図５】
2020044046.tif 000007
【図６】
2020044046.tif 000008
【図７】
2020044046.tif 000009
【図８】
2020044046.tif 000010
【図９】
2020044046.tif 000011